【事件の表示】
　特許第５９６４０４７号発明「冷感増強剤」の特許異議申立事件について、次のとおり決定する。
【結　論】
　特許第５９６４０４７号の請求項１ないし１１に係る特許を維持する。
【理　由】
第１　手続の経緯
　特許第５９６４０４７号の請求項１ないし１１に係る特許についての出願は、平成２３年１２月２８日に特許出願され、平成２８年７月８日にその特許権の設定登録がされ、その後、その特許に対し、平成２９年２月２日に特許異議申立人　永井 望　により特許異議の申立てがされたものである。
第２　本件発明
　特許第５９６４０４７号の請求項１ないし１１の特許に係る発明（以下それぞれ「本件発明１」ないし「本件発明１１」といい、本件発明１ないし１１を総称して「本件発明」という。）は、それぞれ、その特許請求の範囲の請求項１ないし１１に記載された事項により特定されるとおりのものであって、そのうちの本件発明１は以下のとおりである。
（本件発明１）
「　　【請求項１】
　（Ａ）冷感剤、（Ｂ）カチオン界面活性剤及び（Ｃ）２５℃におけるｌｏｇＰが−２〜−１の多価アルコールを１０〜５０質量％含有し、
　一価のアルコールの含有量が０質量％以上１０質量％未満であり、かつ
　成分（Ｂ）の含有量と成分（Ｃ）の含有量との質量比（（Ｃ）／（Ｂ））が、３〜５０である冷感増強剤。」
第３　申立理由の概要
　特許異議申立人は、主たる証拠として、下記の甲第１号証及び甲第２号証、従たる証拠として下記の甲第３号証ないし甲第６号証を提出し、（１）本件発明１、３ないし８、１０及び１１は、甲第１号証又は甲第２号証に記載された発明であるから特許法第２９条第１項第３号に該当し特許を受けることができないものであり、また、（２）本件発明１ないし１１は、甲第１号証ないし甲第６号証に記載された発明に基づいて当業者が容易に発明をすることができたものであって、同法同条第２項の規定により特許を受けることができないものであり、上記（１）及び（２）より本件発明１ないし１１に係る特許は同法同条の規定に違反してされたものであるから同法第１１３条第２号に該当し取り消すべきものであり、さらに、本件発明１ないし１１に係る特許は、（３）その特許請求の範囲が同法第３６条第６項第１号に規定する要件を満たしていない特許出願に対してされたものであり、また、（４）その発明の詳細な説明の記載が同法同条第４項第１号に規定する要件を満たしていない特許出願に対してされたものであり、上記（３）及び（４）より同法第１１３条第４号に該当し取り消すべきものである旨主張している。
特許異議申立人が提出した甲第１号証ないし甲第６号証
甲第１号証：特開２００９−１３１４４号公報（以下「甲１」という。）
甲第２号証：特開２０１０−２４１７７５号公報（以下「甲２」という。）
甲第３号証：特開２００２−１１４６４９号公報（以下「甲３」という。）
甲第４号証：特開２０１１−１９５５５０号公報（以下「甲４」という。）
甲第５号証：特開２０１１−２４１１８８号公報（以下「甲５」という。）
甲第６号証：特開２００８−１０５９９５号公報（以下「甲６」という。）
第４　各証拠の記載事項
１　甲１の記載事項
（１）甲１には、以下の記載がある。
（甲１−１）「【０００１】
　本発明は、毛髪外用の剤に関する発明である。さらに具体的には、本発明は、染毛を行った毛髪に対して退色を防止し、さらに、毛髪一般に対して毛髪からのタンパク質の流出を抑制することを通じて、毛髪の強化を行うことが可能な毛髪外用の剤と組成物あるいは毛髪化粧料に関する発明である。」
（甲１−２）「【０００５】
　本発明の課題は、上記の毛髪化粧料の開発の流れから、さらに有用な毛髪損傷抑制成分を見出し、これを毛髪化粧料分野において活用する手段を提供することにある。」
（甲１−３）「【課題を解決するための手段】
【０００６】
　本発明者は、上記特許文献１にて開示された、「ジペンタエリスリトールと１２−ヒドロキシステアリン酸重合物をエステル化することによって得られる、水酸基価が２０〜７０ｍｇＫＯＨ／ｇであり、酸価が３ｍｇＫＯＨ／ｇ以下であるエステル化反応生成物（エステル化油分）」に着目し、当該成分の毛髪損傷抑制作用について鋭意検討を行った。特許文献１には、当該成分を配合した毛髪化粧料が開示されているが（特許文献１段落［０１９４］〜［０２１７］）、これらの毛髪化粧料における、当該成分の効果は、毛髪化粧料を用いる際の官能評価に止まり、当該成分を毛髪損傷抑制成分として用いることについては全く開示されていない。
【０００７】
　その結果、驚くべきことに、当該成分に非常に優れた毛髪損傷抑制作用が認められることを見出し、本発明を完成した。
【０００８】
　すなわち、本発明は、ジペンタエリスリトールと１２−ヒドロキシステアリン酸重合物をエステル化することによって得られる、水酸基価が２０〜７０ｍｇＫＯＨ／ｇであり、酸価が３ｍｇＫＯＨ／ｇ以下であるエステル化油分（以下、特定エステル化油分ともいう）、からなる毛髪損傷抑制剤（以下、本毛髪損傷抑制剤ともいう）を提供する発明である。」
（甲１−４）「【００２３】
　特定エステル油分は、市販品を用いることも可能であり、当該市販品としては、サラコス　ＷＯ−６（商品名：日清オイリオ社製）が挙げられる。 サラコス　ＷＯ−６は、上記の特定エステル油分の代表的な市販品である。」
（甲１−５）「【００２９】
　本毛髪用組成物には、本発明の効果を、より現実的な実施態様として好適にするために、化粧料分野で配合可能な成分を必要に応じて含有させることができる。当該選択的成分として、特に好適なものとして、下記式（３）にて表される第４級アンモニウム塩とシリコーン油を挙げることができる。」
（甲１−６）「【００３７】
　その他、油性成分、紫外線吸収剤、保湿剤、増粘剤、防腐剤、ｐＨ調整剤、酸化防止剤、金属イオン封鎖剤、粉末成分、香料、水、色素等を必要に応じて、本毛髪用組成物において配合することが可能である。」
（甲１−７）「【００５３】
　以下に、本毛髪損傷抑制用組成物又は当該用途の毛髪化粧料のその他の処方例を、実施例として示す。これらの毛髪用組成物又は化粧料は、毛髪の退色抑制用途にも、毛髪タンパク質の流出抑制用途にも用いることが可能であり、いずれの用途としても、その使用により、上記試験の良好な結果を得ることができる。」
（甲１−８）「【００８２】
　［実施例２０］　ヘアトリートメント
配合成分　　　　　　　　　　　　　　　　　　　　　　配合量（質量％）
（１） １，３−ブチレングリコール　　　　　　　　　　　 １０．０
（２） ジメチコン（１００万ｃＳｔ）　　　　　　　　　　　 ３．５
（３） ジメチコン（１００ｃＳｔ）　　　　　　　　　　　　 ５．０
（４） サラコス　ＷＯ−６　　　　　　　　　　　　　　　　 ０．５
（５） ソルビトール　　　　　　　　　　　　　　　　　　　 ７．０
（６） 水素添加ナタネ油アルコ−ル　　　　　　　　　　　　 ６．０
（７） ベヘントリモニウムクロリド　　　　　　　　　　　　 ３．０
（８） オレイン酸グリセリル　　　　　　　　　　　　　　　 １．５
（９） アミノプロピルジメチコン　　　　　　　　　　　　　 ０．５
（１０）グルタミン酸　　　　　　　　　　　　　　　　　　　０．２５
（１１）クレアチン　　　　　　　　　　　　　　　　　　　　０．１
（１２）タウリン　　　　　　　　　　　　　　　　　　　　　０．１
（１３）Ｎ−メチルタウリン　　　　　　　　　　　　　　　　０．１
（１４）紅藻ＢＧ抽出液　　　　　　　　　　　　　　　　　　０．０１
（１５）ＰＥＧ−７０Ｍ　　　　　　　　　　　　　　　　　　０．０２
（１６）オクチルドデカノール　　　　　　　　　　　　　　　０．１
（１７）セタノール　　　　　　　　　　　　　　　　　　　　０．１
（１８）エタノール　　　　　　　　　　　　　　　　　　　　１．０
（１９）フェノキシエタノール　　　　　　　　　　　　　　　１．０
（２０）調合香料　　　　　　　　　　　　　　　　　　　　　適量
（２１）ハチミツエキス　　　　　　　　　　　　　　　　　　０．０１
（２２）Ｌ−メントール　　　　　　　　　　　　　　　　　　０．１５
（２３）トウガラシチンキ　　　　　　　　　　　　　　　　　０．１
（２４）大豆レシチン　　　　　　　　　　　　　　　　　　　０．０１
（２５）加水分解小麦タンパク・加水分解小麦でんぷん　　　　０．０２
（２６）Ｎ−ラウロイルグルタミン酸 
ジ（フィトステリル・２−オクチルドデシル）　　　　　　　　０．１
（２７）トレハロース　　　　　　　　　　　　　　　　　　　１．０
（２８）アルキル(Ｃ12,14)オキシヒドロキシ
プロピルアルギニン塩酸塩　　　　　　　　　　　　　　　　　０．２
（２９）スクワラン　　　　　　　　　　　　　　　　　　　　１．０
（３０）ピロリドンカルボン酸ナトリウム　　　　　　　　　　０．１
（３１）ピロリドンカルボン酸　　　　　　　　　　　　　　　０．２
（３２）ローヤルゼリーエキス　　　　　　　　　　　　　　　０．０１
（３３）精製ゴマ油　　　　　　　　　　　　　　　　　　　　０．１
（３４）ポリクオタニウム−６４　　　　　　　　　　　　　　０．５
（３５）クオタニウム−８０　　　　　　　　　　　　　　　　３．０
（３６）ラベンダー抽出液　　　　　　　　　　　　　　　　　０．０１
（３７）精製水　　　　　　　　　　　　　　　　　　　　　　残余」
（２）甲１に記載された発明
　（甲１−１）ないし（甲１−８）の記載から、甲１には、
「　以下の配合成分（１）ないし（３７）からなる毛髪損傷抑制用途のヘアトリートメント。
配合成分　　　　　　　　　　　　　　　　　　　　　　配合量（質量％）
（１） １，３−ブチレングリコール　　　　　　　　　　　 １０．０
（２） ジメチコン（１００万ｃＳｔ）　　　　　　　　　　　 ３．５
（３） ジメチコン（１００ｃＳｔ）　　　　　　　　　　　　 ５．０
（４） サラコス　ＷＯ−６　　　　　　　　　　　　　　　　 ０．５
（５） ソルビトール　　　　　　　　　　　　　　　　　　　 ７．０
（６） 水素添加ナタネ油アルコ−ル　　　　　　　　　　　　 ６．０
（７） ベヘントリモニウムクロリド　　　　　　　　　　　　 ３．０
（８） オレイン酸グリセリル　　　　　　　　　　　　　　　 １．５
（９） アミノプロピルジメチコン　　　　　　　　　　　　　 ０．５
（１０）グルタミン酸　　　　　　　　　　　　　　　　　　　０．２５
（１１）クレアチン　　　　　　　　　　　　　　　　　　　　０．１
（１２）タウリン　　　　　　　　　　　　　　　　　　　　　０．１
（１３）Ｎ−メチルタウリン　　　　　　　　　　　　　　　　０．１
（１４）紅藻ＢＧ抽出液　　　　　　　　　　　　　　　　　　０．０１
（１５）ＰＥＧ−７０Ｍ　　　　　　　　　　　　　　　　　　０．０２
（１６）オクチルドデカノール　　　　　　　　　　　　　　　０．１
（１７）セタノール　　　　　　　　　　　　　　　　　　　　０．１
（１８）エタノール　　　　　　　　　　　　　　　　　　　　１．０
（１９）フェノキシエタノール　　　　　　　　　　　　　　　１．０
（２０）調合香料　　　　　　　　　　　　　　　　　　　　　適量
（２１）ハチミツエキス　　　　　　　　　　　　　　　　　　０．０１
（２２）Ｌ−メントール　　　　　　　　　　　　　　　　　　０．１５
（２３）トウガラシチンキ　　　　　　　　　　　　　　　　　０．１
（２４）大豆レシチン　　　　　　　　　　　　　　　　　　　０．０１
（２５）加水分解小麦タンパク・加水分解小麦でんぷん　　　　０．０２
（２６）Ｎ−ラウロイルグルタミン酸 
ジ（フィトステリル・２−オクチルドデシル）　　　　　　　　０．１
（２７）トレハロース　　　　　　　　　　　　　　　　　　　１．０
（２８）アルキル(Ｃ12,14)オキシヒドロキシ
プロピルアルギニン塩酸塩　　　　　　　　　　　　　　　　　０．２
（２９）スクワラン　　　　　　　　　　　　　　　　　　　　１．０
（３０）ピロリドンカルボン酸ナトリウム　　　　　　　　　　０．１
（３１）ピロリドンカルボン酸　　　　　　　　　　　　　　　０．２
（３２）ローヤルゼリーエキス　　　　　　　　　　　　　　　０．０１
（３３）精製ゴマ油　　　　　　　　　　　　　　　　　　　　０．１
（３４）ポリクオタニウム−６４　　　　　　　　　　　　　　０．５
（３５）クオタニウム−８０　　　　　　　　　　　　　　　　３．０
（３６）ラベンダー抽出液　　　　　　　　　　　　　　　　　０．０１
（３７）精製水　　　　　　　　　　　　　　　　　　　　　　残余」
の発明（以下「甲１発明」という。）が記載されているものと認められる。
２　甲２の記載事項
（１）甲２には、以下の記載がある。
（甲２−１）「【０００１】
　本発明は、毛髪化粧料に関する発明である。」
（甲２−２）「【０００７】
　本発明は、特に、洗髪時におけるヘアコンディショナーやヘアリンス等の塗布の際の毛髪感触に着目し、当該感触（以下、塗布時感触ともいう）を向上させるための手段を提供することを課題とする発明である。」
（甲２−３）「【課題を解決するための手段】
【０００８】
　本発明者は、上記の課題の解決に向けて検討を行ったところ、驚くべきことに、下記の構成の毛髪化粧料を提供することにより解決し得ることを見出した。
【０００９】
　すなわち、本発明は、下記成分（１）〜（５）を含有する毛髪化粧料（以下、本発明の毛髪化粧料ともいう）を提供する発明である。
（１）下記式（Ｉ）にて表される第四級アミン化合物を、化粧料の０．０１〜１０質量％
【００１０】
【化１】
（式省略）
【００１１】
［式中、Ｒ１は炭素数６〜３５の直鎖又は分岐鎖のアルキル基であり、Ｒ２、Ｒ３及びＲ４は同一又は異なって、水素原子、炭素数１〜３の直鎖又は分岐鎖のアルキル基であり、Ｘはハロゲンイオン又は有機アニオンである。］
（２）高級アルコール及び／又は高級脂肪酸を、化粧料の０．１〜２０質量％
（３）サリチル酸類塩
（４）有機酸
（５）水
【００１２】
　本発明の毛髪化粧料には、
（６）平均粒子径が０．２〜２０μｍの高重合オルガノポリシロキサンの水性エマルションを配合することにより、乾燥後の毛髪感触をさらに向上させることができる。
【発明の効果】
【００１３】
　本発明により、洗髪時におけるコンディショナーやヘアリンスの塗布の際の毛髪感触に優れる毛髪化粧料が提供される。」
（甲２−４）「【００３１】
　（２）その他の成分
　その他、本発明の毛髪化粧料には、必要に応じて、上記以外の成分を、本発明の効果を実質上損なわない質的、量的な範囲内で配合することができる。例えば、アルキル硫酸エステル塩、ポリオキシエチレンアルキルエーテル硫酸エステル塩、アシルメチルタウリン酸、Ｎ−アシルグルタミン酸塩等のアニオン性界面活性剤；アルキルベタイン、アルキルアミドベタイン、イミダゾリニウムベタイン等の両性界面活性剤；脂肪酸アルカノールアミン等の非イオン性界面活性剤等が挙げられる。さらに、炭化水素油、エステル油、揮発性シリコーン油等の上記の高級脂肪酸と高級アルコール、さらには高分子シリコーン油以外の油分；グリセリン、プロピレングリコール、１，３−ブチレングリコール、ポリエチレングリコール等の保湿剤；カチオン化セルロース等のカチオン性高分子等のコンディショニング剤；トリクロロカルバニリド、イオウ、ジンクピリチオン、イソプロピルメチルフェノール等の抗フケ用薬剤；増粘剤；粘度調整剤；乳濁剤；金属イオン封鎖剤；紫外線吸収剤；酸化防止剤；防腐剤；粉末成分；血行促進剤、局所刺激剤、毛包賦活剤、抗男性ホルモン剤、抗脂漏剤、角質溶解剤、殺菌剤、消炎剤、アミノ酸、ビタミン類、生薬エキス類等の育毛薬剤；ｐＨ調整剤；色素；香料；低級アルコール等が挙げられる。」
（甲２−５）「【００５３】
　［処方例３］　ヘアトリートメント
配合成分　　　　　　　　　　　　　　　　　　　　　　配合量（質量％）
（１）塩化ステアリルトリメチルアンモニウム　　　　　　　　　１．０
（２）グリコール酸　　　　　　　　　　　　　　　　　　　　　０．５
（３）ステアリルアルコール　　　　　　　　　　　　　　　　　５．０
（４）ステアリン酸　　　　　　　　　　　　　　　　　　　　　０．３
（５）サリチル酸ナトリウム　　　　　　　　　　　　　　　　　０．３
（６）ピロリドンカルボン酸　　　　　　　　　　　　　　　　　０．０５
（７）香料　　　　　　　　　　　　　　　　　　　　　　　　　０．４
（８）ジメチコン（６ｍＰａ・ｓ）　　　　　　　　　　　　　１０．０
（９）高重合メチルポリシロキサン（１００万ｍＰａ・ｓ）　　　１．０
（１０）アモジメチコン（１０００ｍＰａ・ｓ）　　　　　　　　２．０
（１１）シリコーンエマルション１（平均粒径０．３μｍ）　　　５．０
（１２）シリコーンエマルション２（平均粒径８．０μｍ）　　　５．０
（１３）ソルビトール　　　　　　　　　　　　　　　　　　　１５．０
（１４）ジグリセリン　　　　　　　　　　　　　　　　　　　　２．０
（１５）ジプロピレングリコール　　　　　　　　　　　　　　１０．０
（１６）高重合ポリエチレングリコール（Ｍｗ２００万）　　　　０．２
（１７）ヒドロキシエチルセルロース　　　　　　　　　　　　　０．２
（１８）メントール　　　　　　　　　　　　　　　　　　　　　０．１
（１９）バラ抽出液　　　　　　　　　　　　　　　　　　　　　０．４
（２０）大豆レシチン　　　　　　　　　　　　　　　　　　　　０．２
（２１）精製水　　　　　　　　　　　　　　　　　　　　　　　残余」
（２）甲２に記載された発明
　（甲２−１）ないし（甲２−５）の記載から、甲２には、
「　以下の配合成分（１）ないし（２１）からなるヘアトリートメント。
配合成分　　　　　　　　　　　　　　　　　　　　　　配合量（質量％）
（１）塩化ステアリルトリメチルアンモニウム　　　　　　　　　１．０
（２）グリコール酸　　　　　　　　　　　　　　　　　　　　　０．５
（３）ステアリルアルコール　　　　　　　　　　　　　　　　　５．０
（４）ステアリン酸　　　　　　　　　　　　　　　　　　　　　０．３
（５）サリチル酸ナトリウム　　　　　　　　　　　　　　　　　０．３
（６）ピロリドンカルボン酸　　　　　　　　　　　　　　　　　０．０５
（７）香料　　　　　　　　　　　　　　　　　　　　　　　　　０．４
（８）ジメチコン（６ｍＰａ・ｓ）　　　　　　　　　　　　　１０．０
（９）高重合メチルポリシロキサン（１００万ｍＰａ・ｓ）　　　１．０
（１０）アモジメチコン（１０００ｍＰａ・ｓ）　　　　　　　　２．０
（１１）シリコーンエマルション１（平均粒径０．３μｍ）　　　５．０
（１２）シリコーンエマルション２（平均粒径８．０μｍ）　　　５．０
（１３）ソルビトール　　　　　　　　　　　　　　　　　　　１５．０
（１４）ジグリセリン　　　　　　　　　　　　　　　　　　　　２．０
（１５）ジプロピレングリコール　　　　　　　　　　　　　　１０．０
（１６）高重合ポリエチレングリコール（Ｍｗ２００万）　　　　０．２
（１７）ヒドロキシエチルセルロース　　　　　　　　　　　　　０．２
（１８）メントール　　　　　　　　　　　　　　　　　　　　　０．１
（１９）バラ抽出液　　　　　　　　　　　　　　　　　　　　　０．４
（２０）大豆レシチン　　　　　　　　　　　　　　　　　　　　０．２
（２１）精製水　　　　　　　　　　　　　　　　　　　　　　　残余」
の発明（以下「甲２発明」という。）が記載されているものと認められる。
３　甲３の記載事項
　甲３には、以下の記載がある。
（甲３−１）「【請求項１】冷感物質およびカチオン型界面活性剤を含有することを特徴とする冷感効果向上組成物。」
（甲３−２）「【０００７】
【課題を解決するための手段】本発明者らは、上記課題を解決するべく鋭意研究を重ねた結果、カチオン型界面活性剤に注目し、これに冷感物質であるＬ−メントールを並存させた組成物を調製し、この組成物を含有する毛髪処理剤製品はなぜか冷感効果、とくに湿時冷感効果が向上されることを見出した。さらに、上記組成物に温感物質であるバニリルブチルエーテルを配合すると冷感効果、とくに湿時冷感効果が向上され、しかもその効果が持続されることを見出し、さらに研究を重ね、ついに本発明を完成した。」
（甲３−３）「【００２７】
【実施例１】参考例1の処方例１よりメントールを含まないシャンプーを調製し、また、本発明の冷感効果向上剤組成物を含む下記のような処方のヘアーコンディショナーを調製した。１２人のパネラーがそのシャンプーで洗髪した後、さらに下記ヘアーコンディショナーで毛髪を処理し、処理後の冷感効果を評価した。1日１回の洗髪を10日間行い、前半の５日間は一方のヘアーコンディショナーで処理し、後半の５日間は他方のヘアーコンディショナーで処理した。５日後の処理後に冷感効果を評価した。
【００２８】
　　　　処方例３（ヘアーコンディショナー１）
　　精製水　　　　　　　　　　　　　　　　　　　４２．０３部
　　塩化[2-ヒドロキシ-3-(トリメチルアンモニオ)
　　プロピル]ヒドロキシエチルセルロース　　　　　 ０．２００
　　水酸化ナトリウム　　　　　　　　　　　　　　　０．００５
　　パラオキシ安息香料酸メチル　　　　　　　　　　０．２０
　　パラオキシ安息香料酸プロピル　　　　　　　　　０．１０
　　エデト酸４ナトリウム　　　　　　　　　　　　　０．０５
　　ポリオキシエチレンセチルエーテル　　　　　　　０．５００
　　セタノ−ル　　　　　　　　　　　　　　　　　　２．０００
　　べへニルアルコール　　　　　　　　　　　　　　２．０００
　　塩化ステアリルトリメチルアンモニウム　　　　　３．０００
　　塩化ジステアリルジメチルアンモニウム　　　　　０．２００
　　2‐エチルへキサン酸セチル　　　　　　　　　　 ０．５００
　　メチルポリシロキサン　　　　　　　　　　　　　２．０００
　　香料　　　　　　　　　　　　　　　　　　　　　０．５００
　　メントール　　　　　　　　　　　　　　　　　　０．１００
　　バニリルブチルエーテル　　　　　　　　　　　　０．０５０
【００２９】
　　　　　処方例４（ヘアーコンディショナー２）
　　精製水　　　　　　　　　　　　　　　　　　　４２．０３部
　　塩化[2-ヒドロキシ-3-(トリメチルアンモニオ)
　　プロピル]ヒドロキシエチルセルロース　　　　　 ０．２００
　　水酸化ナトリウム　　　　　　　　　　　　　　　０．００５
　　パラオキシ安息香料酸メチル　　　　　　　　　　０．２０
　　パラオキシ安息香料酸プロピル　　　　　　　　　０．１０
　　エデト酸４ナトリウム　　　　　　　　　　　　　０．０５
　　ポリオキシエチレンセチルエーテル　　　　　　　０．５００
　　セタノ−ル　　　　　　　　　　　　　　　　　　２．０００
　　べへニルアルコール　　　　　　　　　　　　　　２．０００
　　塩化ステアリルトリメチルアンモニウム　　　　　３．０００
　　塩化ジステアリルジメチルアンモニウム　　　　　０．２００
　　2‐エチルへキサン酸セチル　　　　　　　　　　 ０．５００
　　メチルポリシロキサン　　　　　　　　　　　　　２．０００
　　香料　　　　　　　　　　　　　　　　　　　　　０．５００
　　メントール　　　　　　　　　　　　　　　　　　０．１００
　　メントキシプロパン-1,2-ジオール　　　　　　　 ０．２００
【００３０】評価方法；参考例で記載された方法と同じ方法により評価した。
評価結果
　　　評価　　　ヘアーコンディショナー１　　ヘアーコンディショナー２
　　　　５と評価した　　　　　５　　　　　　　　１　　　
　　　　４　　　　　　　　　　３　　　　　　　　６
　　　　３　　　　　　　　　　２　　　　　　　　３
　　　　２　　　　　　　　　　１　　　　　　　　１
　　　　１　　　　　　　　　　１　　　　　　　　１
　　数字はパネラーの人数を示す。
上記結果に示すように、メントール（冷感物質）を含まないシャンプーで洗髪した後に、処方例３や４に示すようなヘアーコンディショナーで毛髪を洗うとほどよい冷感効果を得ることができ、７０％程度のパネラーが冷感効果を認めた。メントール（冷感物質）を含まないシャンプーで洗髪した後での冷感効果はないのであるから、本発明の冷感効果向上組成物は優れた冷感効果があることが判った。」
（甲３−４）「【００３６】
【実施例５】　冷感効果の持続性試験
下記記載の処方例５に従って、本発明冷感効果向上組成物を含有するヘアーコンディショナー３を調製した。実施例１で用いたメントールを配合していないシャンプーで洗髪後、ヘアーコンディショナー３及びヘアーコンディショナー２で髪を処理した。処理後に感じる冷感効果の持続性について実施例３と同様な方法で官能評価した。パネラーは、３０歳代から５０歳代計２５人であった。
【００３７】
　　　　　処方例５（ヘアーコンディショナー３の処方）
　　 精製水　　　　　　　　　　　　　　　　　　　４２．０３部
　　 塩化[2-ヒドロキシ-3-(トリメチルアンモニオ)
　　 プロピル]ヒドロキシエチルセルロース　　　　　 ０．２００
　　 水酸化ナトリウム　　　　　　　　　　　　　　　０．００５
　　 パラオキシ安息香料酸メチル　　　　　　　　　　０．２０
　　 パラオキシ安息香料酸プロピル　　　　　　　　　０．１０
　　 エデト酸４ナトリウム　　　　　　　　　　　　　０．０５
　　 ポリオキシエチレンセチルエーテル　　　　　　　０．５００
　　 セタノ−ル　　　　　　　　　　　　　　　　　　２．０００
　　 べへニルアルコール　　　　　　　　　　　　　　２．０００
　　 塩化ステアリルトリメチルアンモニウム　　　　　３．０００
　　 塩化ジステアリルジメチルアンモニウム　　　　　０．２００
　　 2‐エチルへキサン酸セチル　　　　　　　　　　 ０．５００
　　 メチルポリシロキサン　　　　　　　　　　　　　２．０００
　　 香料　　　　　　　　　　　　　　　　　　　　　０．５００
　　 メントール　　　　　　　　　　　　　　　　　　０．１００
　　 メントキシプロパン-1,2-ジオール　　　　　　　 ０．２００
　　　バニリルブチルエーテル　　　　　　　　　　　 ０．０５
【００３８】
評価結果　　　　　　　　　　
　　　　冷感効果　　　　　　　比較例　　　　本発明１　　　　本発明２
　１）　直ぐに消失した 　　　　　　８　　　　　６　　　　　　　０
　２）　5分ぐらいで消失した　　 １７　　　　　０　　　　　　　０
　３）　10分ぐらいで消失した　　　０　　　　１５　　　　　　１４
　４）　30分ぐらいで消失した　　　０　　　　　３　　　　　　１０
　５）　1時間ぐらいで消失した　　 ０　　　　　１　　　　　　　１
本発明１とはヘアーコンディショナー３で毛髪を処理したとき、また本発明２とはヘアーコンディショナー２で毛髪を処理したときを意味する。なお、コントロール（比較例）は実施例３と同様である。図２の棒グラフに示されるように市販のトニックシャンプーのみの使用では、5分後には冷感効果が無くなってしまう。それに対して、メントールを配合しないシャンプー使用後直ぐに本発明冷感効果向上剤組成物より調製されたヘアーコンディショナー３やヘアーコンディショナー２で毛髪を処理し、洗髪した後の冷感効果ならびに冷感効果の持続性を評価すると、図２の棒グラフに示されるように洗髪後１０〜３０分経過しても冷感効果が認められた。つまり、本発明冷感効果向上剤組成物を含有する毛髪処理剤製品は冷感効果の持続性が極めてすぐれていることが判った。」
（甲３−５）「【００４１】
【発明の効果】本発明により、従来にない冷感効果を実感させること、ならびに冷感効果を持続させることができ、さらに、これらのテクニックをシャンプーヘアーコンディショナー、ヘアートニックなどの毛髪処理剤製品に使用する事で長時間に渡って冷感効果を、清涼効果を付与する事ができる。つまり、本発明の冷感効果向上組成物は、塗布時の頭皮への爽快刺激感を与え、タオル等によって頭部を乾燥した後もその爽快感を長く持続させることを可能とした。
【００４２】より詳しく説明すると、従来のヘアーケアー製品における冷感物質の使用量は、冷感物質としてメントールを用いたトニックシャンプーであっても通常メントール配合量が0.5%以上である。このトニックシャンプーを用いると冷感効果が感じられることが知られているが、一方、目や皮膚に対して及ぼす刺激が強く、また、男性的なイメージのみを与えるなどの不都合さがあった。そこで、メントールの使用量を減らしてみると、今度はシャンプーを行った場合満足するような冷感効果を得ることができなかった。しかしながら、シャンプー中に冷感物質などを含まないもので洗浄した後に、メントールと他の一種の冷感物質（例えばメントキシプロパン-1,2-ジオール）およびカチオン型界面活性剤を添加して作成した冷感効果向上剤組成物、及びメントール、温感物質（VBE）およびカチオン型界面活性剤を添加した本発明の冷感効果向上剤組成物で毛髪を処理すると、驚くことに、これまでとは異なった冷感効果を得ることができた（実施例１）。
【００４３】また、メントールのクール感を増強するには、冷感物質を添加するよりもむしろ、温感物質といわれるバニリルアルキルエーテルを添加した場合、あきらかに冷感効果を増強する事が判った。しかも、一度、毛髪をシャンプーすることにより洗浄された毛髪に対しさらに、このような組み合わせの本発明の冷感効果向上剤組成物を用いることで冷感効果を著しく増大させることが分かった。（実施例３、４、５、６）
【００４４】さらに、アニオン界面活性剤を主として使用するシャンプーよりカチオン型界面活性剤を主として用いる毛髪処理剤の方が刺激（冷感効果）を得られる効果が大きく、さらにシャンプーである程度の刺激を与えた後にカチオン型界面活性剤を配合するヘアーコンディショナーを使用する事でより一層高い冷感効果を与えることを可能にした。すなわち、シャンプーに配合するメントールの量を低減し、効率良い冷感効果を与えるヘアーケア−システムを構築する事ができた。」
４　甲４の記載事項
　甲４には以下の記載がある。
（甲４−１）「【００２９】
　本発明の皮膚外用剤は、人間や動物の皮膚に直接塗布されたり、接触したりして用いられてもよいし、台所・浴室・トイレ用洗剤、ガラスクリーナー、メガネ・コンタクトレンズ用洗浄剤、自動車用洗剤、衛生用品、ウェットペーパーなどに配合されて用いられてもよい。
【００３０】
　本発明の皮膚外用剤は化粧品、医薬部外品、医薬品のいずれの分野においても用いることができる。例えば、乳液、クリーム、化粧水（ローション）、パック、美容液、洗浄剤、メーキャップ化粧料、頭皮・毛髪用品、分散液、軟膏、液剤、エアゾール、貼付剤、パップ剤、リニメント剤、オイル、リップ、口紅、ファンデーション、アイライナー、頬紅、マスカラ、アイシャドー、マニキュア・ペディキュア（及び除去剤）、シャンプー、リンス、ヘアトリートメント、パーマネント剤、染毛料、ひげ剃り剤、ゲル剤、エッセンス剤、洗浄剤、浴用剤、打粉、石けん（ハンドソープ、ボディソープ、洗顔料など）、歯磨き剤、洗口料等に好適に用いられる。」
５　甲５の記載事項
　甲５には以下の記載がある。
（甲５−１）「【００３２】
　前記皮膚外用剤は、例えば、表皮正常化用外用剤として用いられ得る。また、表皮正常化用化粧料などの化粧料（化粧品）、表皮正常化用医薬部外品などの医薬部外品、医薬品等の態様で用いられ得る。
【００３３】
　前記皮膚外用剤の具体的な態様としては、例えば、１）局所又は全身用の皮膚洗浄料又は皮膚塗布用化粧料類、２）頭皮や頭髪に適用する頭皮又は頭髪化粧料類、３）浴湯に投じて使用する浴用化粧料類、４）人体用の消臭防臭用化粧料、５）洗口剤等の口腔用化粧料類、６）皮膚貼付用シート、化粧用コットン、ウエットティッシュなどに担持されてなるシート状化粧料類が挙げられる。また、前記皮膚外用剤は、固形状、溶液状、ゲル状、エマルジョン状などの形態になり得るものであり、また、シート状担体、スプレー、アンプル、カプセル、粉末（パウダー）など利用上適宜適当な剤型に適用されて用いられ得る。
【００３４】
　皮膚塗布用化粧料類としては、具体的には、例えば、ローション、乳液、クリーム、スプレー、軟膏、ジェル、美容液、オイル、パック、ミストなどの基礎化粧料、ファンデーション、口紅、アイシャドウ、アイライナー、マスカラなどのメークアップ化粧料などが挙げられる。また、皮膚洗浄料類としては、洗顔料、クレンジングなどが挙げられ、頭髪化粧料類としては、シャンプー、リンス、ヘアートリートメント、ヘアートニック、育毛・養毛料などが挙げられる。」
６　甲６の記載事項
　甲６には以下の記載がある。
（甲６−１）「【００５４】
〔実施例６〕皮膚外用剤調製例４
　本例では、ラニ・シンカ及びロウロの溶剤抽出物を用いて皮膚外用剤の一例として、表４の組成からなるヘアートリートメントを調製した。
【００５５】
【表４】
（表省略）
【００５６】
　得られたヘアートリートメント（調製例１及び２）は、毛髪及び頭皮を保護し、毛成長促進効果を有し、また使用感に優れるものであった。」
第５　判断
１　特許法第２９条の規定に係る申立てについて
（１）本件発明１について
ア　甲１発明を引用発明とする対比・判断
（ア）本件発明１と甲１発明とを対比すると、本件発明１は冷感増強剤であるのに対し、甲１発明はヘアトリートメントである点（以下「相違点１」という。）において少なくとも相違する。
　そして、冷感増強剤とヘアトリートメントとは、その用途として明確に区別されるものであり、冷感増強剤がヘアトリートメントに比して新たな用途を提供するものではないということはできない。
　よって、本件発明１は甲１に記載された発明ではない。
　特許異議申立人は、甲１発明は、本件発明１の組成に係る発明特定事項を全て充足するから冷感増強剤に該当すると主張している。
　確かに、甲１発明は、本件特許についての出願の願書に添付した明細書（以下「本件明細書」という。）の発明の詳細な説明に記載された実施例において冷感剤として用いているＬ−メントールを含んでいるが、甲１にはＬ−メントールを用いる理由についての記載はなく、（甲１−６）に記載された配合することが可能であるその他の成分に冷感剤は含まれておらず、甲１全体の記載を見ても冷感に関する記載は見あたらない。一般に、Ｌ−メントールは冷感剤以外にも香料等としても用いられるものであり、冷感を付与することがヘアトリートメントに通常求められる機能であるとも認められない。してみると、甲１発明が含有するＬ−メントールが冷感剤であるとは必ずしもいうことはできない。
　そして、甲１発明は毛髪損傷抑制を意図したものであるから、甲１発明が冷感増強剤であるということはできない。
（イ）上記相違点１について検討する。
　甲１発明は、その組成として、Ｌ−メントール、及び第４級アンモニウム塩として、カチオン界面活性剤として知られるベヘントリモニウムクロリドを含んでいる。
　そして、（甲３−１）ないし（甲３−５）から、甲３には、冷感物質であるＬ−メントールとカチオン型界面活性剤を並存させた組成物により、冷感効果を向上させる技術が記載されていると認められる。
　しかしながら、上記（ア）で説示したように甲１発明のＬ−メントールが必ずしも冷感剤として用いられているとはいえず、甲３に触れた当業者といえども、毛髪損傷抑制を意図した甲１発明を冷感増強剤として用いることを容易に想起するとは認められない。
　また、甲２及び甲４ないし６にも、甲１発明を冷感増強剤として用いることを想起させる記載があるとは認められない。
　よって、本件発明１は、甲１発明及び甲２ないし６に記載の事項に基づいて、当業者が容易に発明をすることができたものとはいえない。
イ　甲２発明を引用発明とする対比・判断
（ア）本件発明１と甲２発明とを対比すると、本件発明１は冷感増強剤であるのに対し、甲２発明はヘアトリートメントである点（以下「相違点２」という。）において少なくとも相違する。
　そして、冷感増強剤とヘアトリートメントとは、その用途として明確に区別されるものであり、冷感増強剤がヘアトリートメントに比して新たな用途を提供するものではないということはできない。
　よって、本件発明１は甲２に記載された発明ではない。
　特許異議申立人は、甲２発明は、本件発明１の組成に係る発明特定事項を全て充足するから冷感増強剤に該当すると主張している。
　確かに、甲２発明は、本件明細書の発明の詳細な説明に記載された実施例において冷感剤として用いているメントールを含んでいるが、甲２にはメントールを用いる理由についての記載はなく、（甲２−４）に記載された配合することができるその他の成分に冷感剤は含まれておらず、甲２全体の記載を見ても冷感に関する記載は見あたらない。一般に、メントールは冷感剤以外にも香料等としても用いられるものであり、冷感を付与することがヘアトリートメントに通常求められる機能であるとも認められない。してみると、甲２発明が含有するメントールが冷感剤であるとは必ずしもいうことはできない。
　そして、甲２発明は塗布時の毛髪感触向上を意図したものであるから、甲２発明が冷感増強剤であるということはできない。
（イ）上記相違点２について検討する。
　甲２発明は、その組成として、メントール及び第四級アンモニウム塩型カチオン性界面活性剤として塩化ステアリルトリメチルアンモニウムを含んでいる。
　そして、甲３には、冷感物質であるＬ−メントールとカチオン型界面活性剤を並存させた組成物により、冷感効果を向上させる技術が記載されている。
　しかしながら、上記（ア）で説示したように甲２発明のＬ−メントールが必ずしも冷感剤として用いられているとはいえず、甲３に触れた当業者といえども塗布時の毛髪感触向上を意図した甲２発明を冷感増強剤として用いることを容易に想起するとは認められない。
　また、甲１及び甲４ないし６にも、甲２発明を冷感増強剤として用いることを想起させる記載があるとは認められない。
　よって、本件発明１は、甲２発明並びに甲１及び甲３ないし６に記載の事項に基づいて、当業者が容易に発明をすることができたものとはいえない。
（２）本件発明２及び９について
　本件発明２及び９は、本件発明１を更に減縮したものであるから、上記「（１）本件発明１について」の対比・判断と同様の理由により、甲１発明又は甲２発明、及び甲１ないし６に記載の事項に基づいて、当業者が容易に発明をすることができたものとはいえない。
（３）本件発明３ないし８、１０及び１１について
　本件発明３ないし８、１０及び１１は、本件発明１を更に減縮したものであるから、上記「（１）本件発明１について」の対比・判断と同様の理由により、甲１又は甲２に記載された発明ではなく、甲１発明又は甲２発明、及び甲１ないし６に記載の事項に基づいて、当業者が容易に発明をすることができたものともいえない。
２　特許法第３６条第６項第１号に規定する要件に係る申立てについて
　特許異議申立人は、本件発明の解決しようとする課題は、冷感剤によりもたらされる冷感効果を充分に高め、かつこれを長時間に亘り有効に発揮する剤を提供することであるが、本件発明の具体的な開示である実施例においてさえ、比較例２と比較して冷感効果を充分に高めかつこれを長時間に亘り有効に発揮させているとはいえないから、本件発明はその課題を解決できるものと認識できるものではなく、また、実施例に開示された発明が本件発明の課題を解決できると仮定しても、各成分の種類及び含有量として実施例よりも広い範囲を包含する本件発明の範囲全体に亘ってその課題を解決できるものと認識することはできない旨主張している。
　しかしながら、本件特許についての出願の願書に添付した図面の図１ないし５に記載された温感及び冷感の評価試験の結果を見るに、総じて実施例１ないし１２は比較例１、３及び４と比較して冷感が高められ、冷感効果の持続性も向上していると認められる。
　そして、比較例２と比較しても、比較例２は強い冷感を示す時期はあるものの、冷感の程度が変動しているのに対し、比較例２と最も成分が類似する実施例１、８及び１０（比較例２と実施例１、８及び１０とは、比較例２が１価のアルコールであるセタノールを２５．００質量％含有するのに対し、実施例１、８及び１０は１価のアルコールを含まず、成分（Ｃ）の多価アルコールを２５．００質量％含有する点で相違するが、他の成分は一致している。）は、総じて時間経過に伴い冷感が増加する傾向にあり、冷感効果を長時間に亘り有効に発揮する点で優れているものと認められる。
　また、実施例１ないし１２は、カチオン界面活性剤について４種類のカチオン界面活性剤を単独で用いた実施例、多価アルコールについて、３種類の多価アルコールを単独で用いた実施例及び含有量が２０〜４０質量％である実施例、カチオン界面活性剤の含有量と多価アルコールの含有量との質量比が４〜２５である実施例を包含するものであって、各実施例において冷感を高め、冷感効果の持続性を向上させる効果が確認されており、各実施例の含有成分及び含有量に類似する成分及び含有量を有する剤においても、各実施例が奏する効果に近い効果を奏するものと推測されることから、本件発明が発明の詳細な説明に記載された範囲を超えるものであるとまではいえない。
　よって、上記特許異議申立人の主張は理由がない。
３　特許法第３６条第４項第１号に規定する要件に係る申立てについて
　特許異議申立人は、本件明細書の発明の詳細な説明の記載からは、冷感が増強されたと評価するための基準及びそこからの変化の程度、並びに増強効果が持続していると評価できる経過時間を理解することができず、本件発明に包含される広範な組成において、本件発明の課題を解決した冷感増強剤と評価し得る組成を見出すことは、当業者に過度の試行錯誤を強いるものである旨主張している。
　しかしながら、本件明細書の発明の詳細な説明の段落【００３９】及び【００４０】には評価方法に関する記載があり、当該記載に基づいた評価を行うことにより冷感の増強及び持続の評価をすることが可能であると認められることから、本件発明の課題を解決した冷感増強剤と評価し得る組成を見出すことは、当業者に期待し得る程度を超える試行錯誤を強いるものであるとまではいえない。
　よって、上記特許異議申立人の主張は理由がない。
第６　むすび
　以上のとおりであるから、特許異議申立ての理由及び証拠によっては、本件請求項１ないし１１に係る特許を取り消すことはできない。
　また、他に本件請求項１ないし１１に係る特許を取り消すべき理由を発見しない。
　よって、結論のとおり決定する。
【異議決定日】
平成２９年４月５日（２０１７．４．５）